【手続補正書】
【提出日】平成19年1月23日(2007.1.23)
【手続補正１】
【補正対象書類名】明細書
【補正対象項目名】発明の名称
【補正方法】変更
【補正の内容】
【発明の名称】テープ状磁気記録媒体の記録再生方法および回転型傾斜磁気ヘッド機構
【手続補正２】
【補正対象書類名】明細書
【補正対象項目名】特許請求の範囲
【補正方法】変更
【補正の内容】
【特許請求の範囲】
【請求項１】  テープ状磁気記録媒体を外周面に巻設して回転可能な回転ドラムの、前記外周面を越えない位置に、
前記回転による進行方向の先端側から後方側へ向かい、徐々に前記回転ドラムの回転中心方向に傾斜した傾斜平滑面を露出して配設し、
且つ前記傾斜平滑面上に、テープ状磁気記録媒体と接触して磁気による記録または再生の少なくとも何れかを実行する記録再生部を配設し、
ついで前記回転ドラムに前記テープ状磁気記録媒体を巻設させ、前記傾斜平滑面の進行にともない惹起される負圧により前記テープ状磁気記録媒体と前記記録再生部を接触させることにより記録または再生の少なくとも何れかを実行することを特徴とするテープ状磁気記録媒体の記録再生方法。
【請求項２】  テープ状磁気記録媒体を外周面に巻設して回転可能な回転ドラムの、前記外周面に陥設された窓部内に、
前記窓部よりも小寸法であり、且つ前記回転による進行方向の先端側から後方側へ向かい、徐々に前記回転ドラムの回転中心方向に傾斜した傾斜平滑面を、前記外周面よりも奥まった内周側の位置に露出させ、且つ前記窓部の両端との間にそれぞれ空隙を形成して配設し、
且つ前記傾斜平滑面上に、前記テープ状磁気記録媒体と接触して磁気による記録または再生の少なくとも何れかを実行する記録再生部を配設し、
ついで前記回転ドラムに前記テープ状磁気記録媒体を巻設させ、前記傾斜平滑面の進行にともない惹起される負圧により前記テープ状磁気記録媒体と前記記録再生部を接触させることにより記録または再生の少なくとも何れかを実行することを特徴とするテープ状磁気記録媒体の記録再生方法。
【請求項３】  前記傾斜平滑面の先端を前記テープ状磁気記録媒体に接触させることを特徴とする請求項２記載のテープ状磁気記録媒体の記録再生方法。
【請求項４】  傾斜磁気ヘッドを具備し、且つ円筒状の外周面にテープ状磁気記録媒体を巻設して回転可能に構成された回転ドラムを備え、
前記傾斜磁気ヘッドは、前記回転ドラムの回転とともに進行しつつ前記テープ状磁気記録媒体と対向する傾斜平滑面と、
前記テープ状磁気記録媒体と接触して磁気による記録または再生の少なくとも何れかを実行する記録再生部と、
を備え、
前記傾斜平滑面は、先端が前記外周面を越えない位置にあり、且つ前記進行方向の前側から後側へ向かい徐々に前記回転ドラムの回転中心方向に傾斜し、
前記記録再生部は、前記傾斜平滑面上の、前記テープ状磁気記録媒体が接触する範囲内に配設されたことを特徴とする回転型傾斜磁気ヘッド機構。
【請求項５】  円筒状の回転ドラムを備え、前記回転ドラムは、
テープ状磁気記録媒体を巻設して回転する外周面と、
前記外周面中に開設された窓部と、
前記窓部よりも小寸法で、前記窓部内に、前後両端がそれぞれ前記窓部の前後両端との間に空隙を形成して配設され、前記外周面の回転とともに所定の進行方向へ進行する傾斜磁気ヘッドと、
を具備し、
前記傾斜磁気ヘッドは、
先端が前記回転ドラム外周面よりも内周側に位置し、且つ前記進行方向の前側から後側へ向かい徐々に前記回転ドラムの回転中心方向に傾斜し、前記進行時に前記テープ状磁気記録媒体に対向する傾斜平滑面と、
前記傾斜平滑面上の、前記テープ状磁気記録媒体が接触する範囲内に配設され、前記テープ状磁気記録媒体と接触して磁気による記録または再生の少なくとも何れかが可能な記録再生部と、
を備えたことを特徴とする回転型傾斜磁気ヘッド機構。
【請求項６】  前記傾斜平滑面の先端を前記テープ状磁気記録媒体に接触させる構成としたことを特徴とする請求項５記載の回転型傾斜磁気ヘッド機構。
【手続補正３】
【補正対象書類名】明細書
【補正対象項目名】０００１
【補正方法】変更
【補正の内容】
【０００１】
【発明の属する技術分野】
本発明は、テープ状磁気記録媒体の記録再生方法および回転型傾斜磁気ヘッド機構に関する。
【手続補正４】
【補正対象書類名】明細書
【補正対象項目名】００１２
【補正方法】変更
【補正の内容】
【００１２】
【課題を解決するための手段】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】変更
【補正の内容】
【００１８】
本発明の請求項１に係るテープ状磁気記録媒体の記録再生方法は、テープ状磁気記録媒体を外周面に巻設して回転可能な回転ドラムの、前記外周面を越えない位置に、
前記回転による進行方向の先端側から後方側へ向かい、徐々に前記回転ドラムの回転中心方向に傾斜した傾斜平滑面を露出して配設し、
且つ前記傾斜平滑面上に、テープ状磁気記録媒体と接触して磁気による記録または再生の少なくとも何れかを実行する記録再生部を配設し、
ついで前記回転ドラムに前記テープ状磁気記録媒体を巻設させ、前記傾斜平滑面の進行にともない惹起される負圧により前記テープ状磁気記録媒体と前記記録再生部を接触させることにより記録または再生の少なくとも何れかを実行することを特徴とする。
【手続補正１１】
【補正対象書類名】明細書
【補正対象項目名】００２０
【補正方法】変更
【補正の内容】
【００２０】
本発明の請求項２に係るテープ状磁気記録媒体の記録再生方法は、テープ状磁気記録媒体を外周面に巻設して回転可能な回転ドラムの、前記外周面に陥設された窓部内に、
前記窓部よりも小寸法であり、且つ前記回転による進行方向の先端側から後方側へ向かい、徐々に前記回転ドラムの回転中心方向に傾斜した傾斜平滑面を、前記外周面よりも奥まった内周側の位置に露出させ、且つ前記窓部の両端との間にそれぞれ空隙を形成して配設し、
且つ前記傾斜平滑面上に、前記テープ状磁気記録媒体と接触して磁気による記録または再生の少なくとも何れかを実行する記録再生部を配設し、
ついで前記回転ドラムに前記テープ状磁気記録媒体を巻設させ、前記傾斜平滑面の進行にともない惹起される負圧により前記テープ状磁気記録媒体と前記記録再生部を接触させることにより記録または再生の少なくとも何れかを実行することを特徴とする。
【手続補正１２】
【補正対象書類名】明細書
【補正対象項目名】００２２
【補正方法】変更
【補正の内容】
【００２２】
本発明の請求項３に係るテープ状磁気記録媒体の記録再生方法は、請求項２記載のものであって、前記傾斜平滑面の先端を前記テープ状磁気記録媒体に接触させることを特徴とする。よって前記の記録再生方法によれば、前記のようにして誘引されたテープ状磁気記録媒体が傾斜平滑面の前記負圧に吸引される以前に、傾斜平滑面の先端がテープ状磁気記録媒体に接触する。これにより後部への空気の流入が抑制され、より良好な接触状態ならびに接触面積の拡大が具現される。  あるいは傾斜平滑面の先端がテープ状磁気記録媒体に接触することで、接触直後における傾斜平滑面とテープ状磁気記録媒体間に減圧状態の膨張空間が形成され、当該減圧によりテープ状磁気記録媒体は傾斜平滑面へ効果的に吸引され、より良好な接触状態ならびに接触面積の拡大が具現される。
【手続補正１３】
【補正対象書類名】明細書
【補正対象項目名】００２３
【補正方法】変更
【補正の内容】
【００２３】
本発明の請求項４に係る回転型傾斜磁気ヘッド機構は、傾斜磁気ヘッドを具備し、円筒状の外周面にテープ状磁気記録媒体を巻設して回転可能に構成された回転ドラムを備え、
前記傾斜磁気ヘッドは、前記回転ドラムの回転とともに進行しつつ前記テープ状磁気記録媒体と対向する傾斜平滑面と、
前記テープ状磁気記録媒体と接触して磁気による記録または再生の少なくとも何れかを実行する記録再生部と、
を備え、
前記傾斜平滑面は、先端が前記外周面を越えない位置にあり、且つ前記進行方向の前側から後側へ向かい徐々に前記回転ドラムの回転中心方向に傾斜し、
前記記録再生部は、前記傾斜平滑面上の、前記テープ状磁気記録媒体が接触する範囲内に配設されたことを特徴とする。
【手続補正１４】
【補正対象書類名】明細書
【補正対象項目名】００２５
【補正方法】変更
【補正の内容】
【００２５】
本発明の請求項５に係る回転型傾斜磁気ヘッド機構は、円筒状の回転ドラムを備え、前記回転ドラムは、
テープ状磁気記録媒体を巻設して回転する外周面と、
前記外周面中に開設された窓部と、
前記窓部よりも小寸法で、前記窓部内に、前後両端がそれぞれ前記窓部の前後両端との間に空隙を形成して配設され、前記外周面の回転とともに所定の進行方向へ進行する傾斜磁気ヘッドと、
を具備し、
前記傾斜磁気ヘッドは、
先端が前記回転ドラム外周面よりも内周側に位置し、且つ前記進行方向の前側から後側へ向かい徐々に前記回転ドラムの回転中心方向に傾斜し、前記進行時に前記テープ状磁気記録媒体に対向する傾斜平滑面と、
前記傾斜平滑面上の、前記テープ状磁気記録媒体が接触する範囲内に配設され、前記テープ状磁気記録媒体と接触して磁気による記録または再生の少なくとも何れかが可能な記録再生部と、
を備えたことを特徴とする。
【手続補正１５】
【補正対象書類名】明細書
【補正対象項目名】００２７
【補正方法】変更
【補正の内容】
【００２７】
本発明の請求項６に係る回転型傾斜磁気ヘッド機構は、請求項５記載のもので、前記傾斜平滑面の先端を前記テープ状磁気記録媒体に接触させる構成とするから、前記のようにして誘引されたテープ状磁気記録媒体が傾斜平滑面の前記負圧に吸引される以前に、傾斜平滑面の先端がテープ状磁気記録媒体に接触する。これにより後部への空気の流入が抑制され、より良好な接触状態ならびに接触面積の拡大が具現される。
あるいは傾斜平滑面の先端がテープ状磁気記録媒体に接触することで、接触直後における傾斜平滑面とテープ状磁気記録媒体間に減圧状態の膨張空間が形成され、当該減圧によりテープ状磁気記録媒体は傾斜平滑面へ効果的に吸引され、より良好な接触状態ならびに接触面積の拡大が具現される。
【手続補正１６】
【補正対象書類名】明細書
【補正対象項目名】０１０５
【補正方法】変更
【補正の内容】
【０１０５】
【発明の効果】
【手続補正１７】
【補正対象書類名】明細書
【補正対象項目名】０１０６
【補正方法】削除
【補正の内容】
【手続補正１８】
【補正対象書類名】明細書
【補正対象項目名】０１０７
【補正方法】削除
【補正の内容】
【手続補正１９】
【補正対象書類名】明細書
【補正対象項目名】０１０８
【補正方法】変更
【補正の内容】
【０１０８】
本発明の請求項１に係るテープ状磁気記録媒体の記録再生方法は、回転ドラムの外周面を越えない位置に、進行方向先端側から後方側へ向かい徐々に回転中心方向に傾斜した傾斜平滑面を露出して配設し、傾斜平滑面上に、テープ状磁気記録媒体と接触して磁気による記録または再生を実行する記録再生部を配設し、ついで回転ドラムにテープ状磁気記録媒体を巻設させるものであるから、巻設したテープ状磁気記録媒体を、傾斜平滑面により形成される凹部の圧力減少で傾斜平滑面に向かい誘引して接近させることができ、さらに傾斜平滑面上に一斉に生じる負圧により、接近したテープ状磁気記録媒体を強制力を付与することなく傾斜平滑面へ接触させ、且つ記録再生部と接触させることができる。このように回転ドラムの回転にともない具現される、凹部において自然発生する減圧による誘引の効果と、傾斜平滑面の進行により自然発生した負圧効果とによって、テープ状磁気記録媒体をとりこみ且つ接触させて記録再生部への接触圧を確保できる。よって摩耗を抑えた高感度・高密度の記録または再生が可能になる。
【手続補正２０】
【補正対象書類名】明細書
【補正対象項目名】０１０９
【補正方法】変更
【補正の内容】
【０１０９】
本発明の請求項２に係るテープ状磁気記録媒体の記録再生方法は、回転ドラムの外周面に陥設された窓部内に、窓部より小寸法で進行方向先端側から後方側へ向かい徐々に回転中心方向に傾斜した傾斜平滑面を、先端が回転ドラムの外周面より内周側であり、且つ窓部の両端との間にそれぞれ空隙を形成させて置き、さらに傾斜平滑面上のテープ状磁気記録媒体が接触する範囲内に記録再生部を配設し、ついで回転ドラムにテープ状磁気記録媒体を巻設させるものであるから、巻設したテープ状磁気記録媒体を、空隙内に発生した圧力減少で傾斜平滑面に向かい誘引して接近させることができ、さらに傾斜平滑面上に一斉に生じる負圧により、接近したテープ状磁気記録媒体を強制力を付与することなく傾斜平滑面へ接触させ、且つ記録再生部と接触させることができる。このように回転ドラムの回転にともない具現される、空隙において自然発生する減圧による誘引の効果と、傾斜平滑面の進行により自然発生した負圧効果とによって、テープ状磁気記録媒体をとりこみ且つ接触させて記録再生部への接触圧を確保できる。よって摩耗を抑えた高感度・高密度の記録または再生が可能になる。
【手続補正２１】
【補正対象書類名】明細書
【補正対象項目名】０１１０
【補正方法】変更
【補正の内容】
【０１１０】
本発明の請求項３に係るテープ状磁気記録媒体の記録再生方法は、請求項２記載のものであって、傾斜平滑面の先端をテープ状磁気記録媒体に接触可能な位置に配設させるから、誘引されたテープ状磁気記録媒体が傾斜平滑面の負圧によってトラップされる前に、傾斜平滑面の先端がテープ状磁気記録媒体に接触する。これにより空気の流入を抑制でき、より良好な接触状態と接触面積の拡大を具現できる。
【手続補正２２】
【補正対象書類名】明細書
【補正対象項目名】０１１１
【補正方法】変更
【補正の内容】
【０１１１】
本発明の請求項４に係る回転型磁気ヘッド機構は、具備する傾斜磁気ヘッドのテープ状磁気記録媒体と対向する傾斜平滑面を、後方へ向かい徐々に回転中心へ傾斜し、且つ回転ドラム外周面を越えない位置に置き、さらに傾斜平滑面上のテープ状磁気記録媒体が接触する範囲内の位置に記録再生部を設けて構成するから、傾斜平滑面により形成される凹部の圧力減少でテープ状磁気記録媒体を傾斜平滑面に向かい誘引して接近させることができ、さらに傾斜平滑面上に一斉に生じる負圧により、接近したテープ状磁気記録媒体を強制力を付与することなく傾斜平滑面へ接触させ、且つ記録再生部と接触させることができる。このように回転ドラムの回転にともない具現される、凹部において自然発生する減圧による誘引の効果と、傾斜平滑面の進行により自然発生した負圧効果とによって、テープ状磁気記録媒体をとりこみ且つ接触させて記録再生部への接触圧を確保できる。よって摩耗を抑えた高感度・高密度の記録または再生が可能になる。
【手続補正２３】
【補正対象書類名】明細書
【補正対象項目名】０１１２
【補正方法】変更
【補正の内容】
【０１１２】
本発明の請求項５に係る回転型磁気ヘッド機構は、回転ドラムの外周面に陥設された窓部内に、窓部よりも小寸法の傾斜磁気ヘッドを、その傾斜平滑面の先端が回転ドラム外周面より内周側の位置にあって後方へ向かい徐々に回転中心へ傾斜し、且つ窓部の両端との間にそれぞれ空隙を形成させて置き、さらに傾斜平滑面上のテープ状磁気記録媒体が接触する範囲内の位置に記録再生部を設けて構成するから、形成された空隙内の圧力減少でテープ状磁気記録媒体を傾斜平滑面に向かい誘引して接近させることができ、さらに傾斜平滑面上に一斉に生じる負圧により、接近したテープ状磁気記録媒体を強制力を付与することなく傾斜平滑面へ接触させ、且つ記録再生部と接触させることができる。このように回転ドラムの回転にともない具現される、空隙内において自然発生する減圧による誘引の効果と、傾斜平滑面の進行により自然発生した負圧効果とによって、テープ状磁気記録媒体をとりこみ且つ接触させて記録再生部への接触圧を確保できる。よって摩耗を抑えた高感度・高密度の記録または再生が可能になる。
【手続補正２４】
【補正対象書類名】明細書
【補正対象項目名】０１１３
【補正方法】変更
【補正の内容】
【０１１３】
本発明の請求項６に係る回転型磁気ヘッド機構は、請求項５記載のもので、傾斜平滑面の先端をテープ状磁気記録媒体に接触可能な位置に配設するから、誘引されたテープ状磁気記録媒体が傾斜平滑面の負圧によってトラップされる前に、傾斜平滑面の先端がテープ状磁気記録媒体に接触する。これにより空気の流入を抑制でき、より良好な接触状態と接触面積の拡大を具現できる。